(57)【要約】【課題】作動板が開位置に位置していたとしても、炎が換気装置内を通って屋内に侵入するのを防止可能な換気装置を提供する。【解決手段】換気装置１の装置本体１０の内部に、室外側と室内側のうちの一方のスリット状換気口１１ａと常時連通する通気路１０ａを形成する。換気機構２０の操作つまみ２２にて作動板２１を閉位置と開位置との間で移動させる。開位置のとき、他方のスリット状換気口１２ａが開き、通気路１０ａと連通する。通気路１０ａ内に発泡材からなる防火部材３０を設ける。防火部材３０は、火災等の加熱により発泡し、開位置の作動板２１による通気路１０ａの開通が遮断される。【選択図】図１
2007225136.tif 000002
【特許請求の範囲】
【請求項１】
建物の室内外を換気する換気装置であって、
（ａ）室外に面する室外側壁部と、室内に面する室内側壁部とを有して一方向に延び、これら壁部の各々には前記一方向と直交する方向に延びるスリット状の換気口が前記一方向に並んで多数形成され、これら壁部の間には何れか一方の壁部の換気口と常時連通する通気路が形成された装置本体と、
（ｂ）前記装置本体内に閉位置と開位置の間で移動可能に収容された作動板と、この作動板を移動操作するための操作つまみを含み、前記作動板が閉位置のとき、他方の換気口を閉じ、前記作動板が開位置のとき、前記他方の換気口を開いて前記通気路と連通する換気機構と、
（ｃ）加熱により発泡する発泡材にて構成された防火部材と、
を備え、前記防火部材が、前記装置本体の内部に前記一方向へ延在するようにして配置され、発泡した場合、前記開位置の作動板によって開通された前記通気路を閉塞可能になっていることを特徴とする換気装置。
【請求項２】
前記防火部材が、前記通気路の内壁に設けられていることを特徴とする請求項１に記載の換気装置。
【請求項３】
前記防火部材が、発泡により前記一方の換気口を前記通気路の側から閉塞可能になっていることを特徴とする請求項１又は２に記載の換気装置。
【請求項４】
前記作動板が、一端部を軸にして、他端部が前記一方の換気口を有する壁部に接近する閉位置と前記一方の換気口を有する壁部から遠ざかる開位置との間を回転可能になっており、
前記防火部材が、発泡により前記開位置の作動板の他端部と前記他方の換気口を有する壁部との間を閉塞可能になっていることを特徴とする請求項１〜３の何れかに記載の換気装置。
【発明の詳細な説明】
【技術分野】
【０００１】
この発明は、建物の例えばサッシ枠や障子等の建材に設けられ、室内外を換気する換気装置に関する。
【背景技術】
【０００２】
建物の屋内外を仕切るサッシ枠や障子等の建材に設けられた換気装置は公知である。この種の換気装置の内部には作動板が設けられている。操作つまみを操作すると、作動板が回転ないしはスライドし、換気口を開閉するようになっている。
【特許文献１】特開２００１−２３４６７３
【特許文献２】特開平９−２４３１２１
【発明の開示】
【発明が解決しようとする課題】
【０００３】
火災などの際は、換気装置を強制的に閉じるのが好ましい。しかし、緊迫した状況では換気装置の状態を確認する余裕がないことも考えられる。
高温になるとヒューズが溶けてダンパーが落ち、換気装置を閉じるようになっているものもあるが、コストが高い。ヒューズの劣化による誤動作が起きる場合もあった。
【課題を解決するための手段】
【０００４】
上記問題点を解決するために本発明は、建物の室内外を換気する換気装置であって、
（ａ）室外に面する室外側壁部と、室内に面する室内側壁部とを有して一方向に延び、これら壁部の各々には前記一方向と直交する方向に延びるスリット状の換気口が前記一方向に並んで多数形成され、これら壁部の間には何れか一方の壁部の換気口と常時連通する通気路が形成された装置本体と、
（ｂ）前記装置本体内に閉位置と開位置の間で移動可能に収容された作動板と、この作動板を移動操作するための操作つまみを含み、前記作動板が閉位置のとき、他方の換気口を閉じ、前記作動板が開位置のとき、前記他方の換気口を開いて前記通気路と連通する換気機構と、
（ｃ）加熱により発泡する発泡材にて構成された防火部材と、
を備え、前記防火部材が、前記装置本体の内部に前記一方向へ延在するようにして配置され、発泡した場合、前記開位置の作動板によって開通された前記通気路を閉塞可能になっていることを特徴とする。
これによって、火災の際、作動板が開位置に位置していたとしても、防火部材が発泡することにより換気装置内を閉塞することができる。これによって、炎の屋内への侵入を阻止することができる。また、防火部材は、装置本体の内部に配置されているので、目立たず、美観を損なうことがなく、発泡する場合、装置本体の内部で発泡させることができる。さらに、換気口がスリット状になっているので、発泡した防火部材が換気口からこぼれ出るのを抑制して装置本体の内部に閉じ込めておくことができる。これにより、通気路を確実に閉塞するようにすることができる。防火部材は装置本体の長手方向に延在されているので、通気路が装置本体の長手方向に延びていても確実に閉塞することができる。ここで、「延在」とは、装置本体の長手方向にわたってひと連なりになっている場合のほか、ところどころ途絶えながらも全体として装置本体の長手方向にわたって配置されている場合をも含む。
防火部材を構成する発泡材は、不燃性を有している必要がある。
【０００５】
前記防火部材は、前記通気路の内壁に設けられていることが好ましい。これによって、発泡の際、通気路を確実に閉塞することができる。
前記防火部材が、発泡により前記一方の換気口を内側（前記通気路の側）から閉塞可能になっていることが好ましい。これによって、炎が前記一方の換気口を通って装置本体内に侵入するのを確実に防止できるとともに、発泡した防火部材を装置本体内に確実に閉じ込めることができ前記一方の換気口から漏出するのを確実に防止することができる。
【０００６】
前記作動板が、一端部を軸にして、他端部が前記一方の換気口を有する壁部に接近する閉位置と前記一方の換気口を有する壁部から遠ざかる開位置との間を回転可能になっており、
前記防火部材が、発泡により前記開位置の作動板の他端部と前記他方の換気口を有する壁部との間を閉塞可能になっていることが好ましい。
これによって、炎が一層近づき装置の一部が溶解しても換気の遮蔽状態が維持されるようにすることができる。
【発明の効果】
【０００７】
本発明によれば、火災の際、作動板が開位置に位置していたとしても、防火部材が発泡することにより換気装置内を閉塞することができる。これによって、炎の屋内への侵入を阻止することができる。また、発泡した防火部材が換気口からこぼれ出るのを抑制して装置本体の内部に閉じ込めておくことができ、通気路を確実に閉塞するようにすることができる。
【発明を実施するための最良の形態】
【０００８】
以下、本発明の実施形態を説明する。
図１及び図２は、建物の屋外に面する壁に設けられたサッシ枠又は障子（図示せず）に取り付けられた換気装置を示したものである。換気装置１は、装置本体１０と、この装置本体１０に設けられた換気機構２０とを備えている。
【０００９】
図１〜図３に示すように、装置本体１０は、１つ又は複数のアルミ型材にて構成され、室外（屋外）に面する室外側壁部１１と室内（屋内）に面する室内側壁部１２を有する四角形の箱状をなし、左右方向に延びている。室外側壁部１１には、室外（屋外）に連なる第１換気口１１ａが形成され、室内側壁部１２には、室内（屋内）に連なる第２換気口１２ａが形成されている。これら換気口１１ａ，１２ａは、上下に延びるスリット状をなすとともに左右に多数並べられている。室外側の第１換気口１１ａは、相対的に低い位置に配置され、室内側の第２換気口１２ａは、相対的に高い位置に配置されている。
【００１０】
図１に示すように、室外側壁部１１の第１換気口１１ａの上端部の高さ付近には、水平突片１３が設けられている。水平突片１３は、室外側壁部１２から室内側壁部１２へ向けて水平に突出されている。第１換気口１１ａの下端部の高さ付近には、室外側壁部１１と室内側壁部１２を連ねる底部１５が設けられている。装置本体１０の内部は、水平突片１３と底部１５の間の下側室（通気路）１０ａと、水平突片１３より上側の室１０ｂとに区分けされている。下側室１０ａは、換気口１１ａを介して室外（屋外）に連なっている。下側室１０ａと上側室１０ｂは、室内側壁部１２と水平突片１３との間を介して連なっている。室内側壁部１１の上側室１０ｂ形成部分に換気口１２ａが形成されている。
【００１１】
換気機構２０は、作動板２１と、操作つまみ２２と、カム２３とを含んでいる。作動板２１は、左右に延びる板状をなし、装置本体１０の上側室１０ｂの内部に配置されている。作動板２１の上端部（一端部）には、軸２１ａが設けられている。この軸２１ａが、装置本体１０の天井部と室内側壁部１２の上端部とのなす角部に設けられた軸受け部１４に回転可能かつ図１の紙面直交方向（左右）にスライド可能に嵌め込まれている。ひいては、作動板２１が、軸２１ａを中心に回転可能かつ軸２１ａに沿って左右（図１の紙面直交方向）にスライド可能になっている。
【００１２】
装置本体１０の上側室１０ｂ内の一側部（図１の紙面奥側）には、操作つまみ２２が左右（図１の紙面直交方向）にスライド可能に設けられている。操作つまみ２２は、室内側壁部１２を貫通して室内に臨んでいる。操作つまみ２２は、作動板２１に連繋されている。操作つまみ２２を左右にスライドさせると、作動板２１が左右にスライドされるようになっている。
【００１３】
装置本体１０の内部の一側部にはカム２３が設けられている。カム２３は、水平突片１３と室内側壁部１２との間に挟まれるようにして配置されている。図４に示すように、カム２３の上面には、カム溝２３ａが斜めに形成されている。このカム溝２３ａに、作動板２１の下端部の凸部２１ｂが挿入されている。
【００１４】
操作つまみ２２にて作動板２１を左右スライドさせると、図４に示すように、カム溝２３ａと凸部２１ｂのカム作用によって、作動板２１の下端部（他端部）が室内側壁部１２に対し接近離間する方向に移動される。これによって、作動板２１が、室内側壁部１２に接近した閉位置（図１の実線）と、室内側壁部１２から室外側へ遠ざかった開位置（図１の仮想線）との間で、上端軸２１ａを中心にして回転される。
【００１５】
作動板２１が閉位置のとき、第２換気口１２ａが閉ざされるようになっている。作動板２１には、第２換気口１２ａの閉状態を確保するためのパッキン２４が設けられている。
【００１６】
図１の二点鎖線で示すように、作動板２１が開位置のとき、作動板２１の下端部と室内側壁部１２の内面との間に連通部１０ｃが形成されるようになっている。この連通部１０ｃを介して、室内側の第２換気口１２ａが通気路１０ａと連通し、ひいては室外側の第１換気口１１ａに連通するようになっている。これによって、室内が、第２換気口１２ａ、連通部１０ｃ、通気路１０ａ、第１換気口１１ａを順次介して室外と連通される。この結果、室内と室外を換気することができる。
【００１７】
本発明の最も特徴的な部分について説明する。
図１及び図３に示すように、装置本体１０には発泡材からなる防火部材３０が設けられている。防火部材３０は、不燃性の発泡材にて構成され、ある温度に達すると発泡し、体積が数十倍になるようになっている。不燃性発泡材としては、例えばグラファイト／水酸化アルミニウム混合物やセラミックファイバー複合材等が挙げられる。防火部材３０を構成する不燃性発泡材は、塗料の形態をなしていてもよい。発泡塗料としては、フレームコントロール（岩谷産業株式会社及びオキツモ株式会社登録商標）等の発泡型防火塗料が挙げられる。
【００１８】
防火部材３０は、装置本体１０の通気路１０ａ内に設けられている。具体的には、底部１５の上面に配置されている。図３に示すように、防火部材３０は、左右方向（装置本体１０の長手方向）に沿ってひと連なりに延びている。
【００１９】
上記構成において、隣家などで火災が起き、外部から炎が迫って来たものとする。このとき、換気装置１の作動板２２は開位置（図１の二点鎖線）にあり、換気口１２ａが開いていたものとする。換気装置１の周辺温度は、火炎によって上昇し、防火部材３０も高温化していく。やがて、防火部材３０は発泡温度に達し、発泡する。これによって、図５及び図６に示すように、防火部材３０が、通気路１０ａ内を埋め、室外側の換気口１１ａを内側から塞ぐとともに、開位置の作動板２１の下端部と室内側壁部１２との間に形成された連通部１０ｃを塞ぐ。これによって、作動板２１が開位置に位置していたとしても、換気装置１の通気経路を閉じることができ、炎が換気装置１内を通って室内に侵入するのを阻止することができる。
換気口１１ａは細幅のスリット状になっているので、発泡した防火部材３０が換気口１１ａから外にこぼれ出るのを抑制できる。これにより、防火部材３０を装置本体１０の内部に閉じ込め、通気路１０ａ内に確実に充填させることができ、通気路１０ａを確実に閉塞するようにすることができる。防火部材３０は装置本体１０の長手方向に延在されているので、通気路１０ａが装置本体１０の長手方向に延びていても確実に閉塞することができ、装置本体１０の長手方向に並べられた多数の換気口１１ａを内側から確実に塞ぐことができる。
炎が一層近づき、室外側壁部１１が極めて高温化して第１換気口１１ａの辺りが溶解したとしても、防火部材３０が作動板２１の下端部と室内側壁部１２との間の連通部１０ｃを塞いでいる限り、換気装置１の閉塞状態を維持することができ、炎の屋内への侵入を阻止することができる。
通常使用時において、防火部材３０は、装置本体１０の内部に配置されているので、目立つことがなく、美観を損なうことがない。
【００２０】
次に、本発明の他の実施形態を説明する。以下の実施形態において、既述の実施形態と重複する構成に関しては、適宜、図面に同一符号を付して、説明を簡略化する。
防火部材３０は、発泡した場合、開位置の作動板２１による通気路１０ａの開通状態を閉塞可能な位置に配置されていればよい。そのような位置としては、通気路１０ａの内部が好ましい。上記第１実施形態では、通気路１０ａの内部の底面に設けられていたが、図７に示す第２実施形態では、防火部材３０が、通気路１０ａの室内側の内面（室内側壁部１２の内側面）に配置されている。この場合でも、図８に示すように、火災によって温度上昇が起きると、防火部材３０が発泡し、通気路１０ａの内部に充填され、通気路１０ａを閉塞する。さらに、この発泡した防火部材３０は、室外側換気口１１ａを塞ぐとともに、開位置の作動板２１の下端部と室内側壁部１２との間の連通部１０ｃを塞ぐ。これによって、作動板２１が開位置に位置していたとしても、炎が換気装置１内を通って室内に侵入するのを阻止することができる。
【００２１】
図９に示す第３実施形態では、作動板２１の下端部の室外側の面に弾性体からなるクッション部材２５が設けられている。同図の二点鎖線で示すように、作動板２１が室外側へ回転して開位置になったとき、作動板２１の下端部がクッション部材２５を挟んで水平突片１３の先端縁に当接するようになっている。この開位置の作動板２１の下端部と、通気路１０ｃの室内側の内面（壁部１２の内側面）ないしは通気路１０ｃの底面（底部１５の上面）との間に連通部１０ｃが形成されるようになっている。
【００２２】
第３実施形態の防火部材３０は、通気路１０ａの上面（水平突片１３の下面）に配置されている。図１０に示すように、火災によって温度上昇が起きると、防火部材３０が発泡し、室外側換気口１１ａを塞ぐとともに、通気路１０ａの内部に充填され、通気路１０ａを塞ぐ。さらに、開位置の作動板２１の下端部と装置本体１０の室内側壁部１２ないしは底部１５との間の連通部１０ｃを塞ぐ。これによって、作動板２１が開位置に位置していたとしても、炎が換気装置１内を通って室内に侵入するのを阻止することができる。
【００２３】
本発明は、上記実施形態に限定されるものではなく、本発明の精神に反しない限りにおいて種々の改変が可能である。
例えば、防火部材３０は、発泡した場合、開位置の作動板２１による通気路の開通状態が閉塞される位置であればよく、通気路１０ａの室外側の内面に設けてもよく、作動板２１に設けてもよく、上側室１０ｂの内部に設けてもよい。
防火部材３０は、装置本体１０の長手方向にひと連なりになっている必要はなく、ところどころ途絶えていても全体として装置本体１０の長手方向にわたるように延在されていればよい。
室内側の換気口１２ａが装置本体１０内の通気路と常時連通する一方、作動板２１が室外側の換気口１１ａを開閉するようになっていてもよい。
作動板２１は、スライドと回転の組み合わせ動作で開閉されるのに限られず、スライド動作だけで開閉されるようになっていてもよく、回転動作だけで開閉されるようになっていてもよい。
本換気装置は、サッシ枠や障子その他の種々の建具に取り付けられる換気装置に遍く適用可能であり、例えば障子の上框と一体になった換気装置等に適用可能である。
【図面の簡単な説明】
【００２４】
【図１】本発明の第１実施形態に係る換気装置を、作動板が閉位置の状態で示す縦断面図である。
【図２】上記換気装置を、室内側から正視した図である。
【図３】図２のIII−III線に沿う上記換気装置の平面断面図である。
【図４】上記換気装置の換気機構のカムの平面図である。
【図５】上記換気装置を、作動板が開位置の時に火災が発生した場合の縦断面図である。
【図６】図５のVI−VI線に沿う、火災時の上記換気装置を示す平面断面図である。
【図７】本発明の第２実施形態に係る換気装置を、作動板が閉位置の状態で示す縦断面図である。
【図８】上記第２実施形態の換気装置を、作動板が開位置の時に火災が発生した場合の縦断面図である。
【図９】本発明の第２実施形態に係る換気装置を、作動板が閉位置の状態で示す縦断面図である。
【図１０】上記第２実施形態の換気装置を、作動板が開位置の時に火災が発生した場合の縦断面図である。
【符号の説明】
【００２５】
１        換気装置
１０      装置本体
１０ａ    通気路
１０ｂ    上側室
１０ｃ    連通部
１１      室外に面する室外側壁部
１１ａ    室外側の換気口
１２      室内に面する室内側壁部
１２ａ    室内側の換気口
１３      水平突片
１４      軸受け部
１５      底部
２０      換気機構
２１      作動板
２１ａ    軸
２１ｂ    凸部（カムフォロア）
２２      操作つまみ
２３      カム
２３ａ    カム溝
２４      パッキン
３０      防火部材
【図１】
2007225136.tif 000003
【図２】
2007225136.tif 000004
【図３】
2007225136.tif 000005
【図４】
2007225136.tif 000006
【図５】
2007225136.tif 000007
【図６】
2007225136.tif 000008
【図７】
2007225136.tif 000009
【図８】
2007225136.tif 000010
【図９】
2007225136.tif 000011
【図１０】
2007225136.tif 000012